(57)【要約】    【課題】物品を整理する棚について、整理すべき物品の量の増減や形状の変化に対して、また棚を使用する空間の広さや形状に合わせて、組合せ、組み立てることにより、識別による整理整頓を行い、かつ空間を有効に利用できる自由な形状の整理棚の構成を可能とする。    【解決手段】本発明は、接合用の連結穴を設けた単位箱体、及び奥行き・幅・高さが単位箱体の倍数単位でできている箱体を、着脱可能な連結棒を使い、上下、前後、左右の方向へ自由に連結し組み立てられること、合わせて解体し、再度組み立てることができることを特徴とする整理棚を提供する。    【選択図】図１
2005125068.tif 000002
【特許請求の範囲】
【請求項１】
接合用の連結穴（２）の設けられた方形筒状の単位箱体（１）を、着脱可能な連結棒（３）を使い、上下、前後、左右に自由に連結し組立てられる定規格組立て式整理棚。
【請求項２】
請求項１記載の単位箱体（１）を基礎サイズとして、奥行き・幅・高さの三方向のそれぞれが独立した倍数サイズでできている方形筒状の箱体で、かつ、最小基礎サイズである単位箱体（１）が上下・前後・左右に常に連結できる連結穴（２）の設けられた箱体により、上下、前後、左右に自由に連結し組立てられる定規格組立て式整理棚。
【発明の詳細な説明】
【技術分野】
【０００１】
本発明は、物品の整理に際して、物品のサイズや形状のみならず設置場所の形状や広さに応じて自由に構成できる組立て式の整理棚に関するものである。
【背景技術】
【０００２】
従来より、物品の整理に際しての組立て式整理棚は多数あり、
本棚や整理棚（例えば、特開２００３−１４８４２５）
コレクション用整理ボックス
商品陳列用の棚（例えば、特開平１１−１９８９３１）
などがある。
【０００３】
新たな物品の市場参入や、新たな規格品の登場、景品などの小物やコレクションの多様化といったさまざまな形状の物が生活に溢れ、また、部屋の大きさや形状に関する収納スペースの有効活用のニーズから、市場では物品の整理に関してより高い空間効率性や美観が求められている。
【特許文献１】特開２００３−１４８４２５
【特許文献２】特開平１１−１９８９３１
【特許文献３】特開２００４−８９７２９
【特許文献４】実用新案登録第３０９２９２１号
【発明の開示】
【発明が解決しようとする課題】
【０００４】
解決しようとする問題点は、従来の組立て式整理棚では整理すべき物品の量の増加や、形状の変化に対してフレキシブルに対応できないため、物品の形状に合わせて新たな本棚や整理棚を部屋の形状も勘案して適当なものを購入する必要があるとともに、部屋の形状や空間に適合した整理棚が見つからない場合があるという問題点があり、本発明は、これらの欠点を解決するために発明されたものである。
【課題を解決するための手段】
【０００５】
本発明は、
方形筒状の単位箱体（１）でできている、
単位箱体（１）は決まった位置に連結穴（２）が空けられている、
単位箱体（１）は、連結穴（２）を連結棒（３）で接続することができる、
単位箱体（１）を基礎サイズとして高さ、横、奥行きの三方向にそれぞれ独立した倍数の方形筒状箱体を設ける（以降、倍数箱体と称する）、
背板（４）を着脱式にする、
ことにより、左右、上下、前後にさまざまなサイズの箱体を組み立てることができ、整理棚の用途に応じて、形状やサイズを自由に構成できることを主要な特徴とする。
【発明の効果】
【０００６】
本発明の定規格組立て棚は、単位箱体（１）およびその倍数箱体の組合わせにより高さ、横、奥行きの３方向に対し棚の形状や大きさの構成を自由にできることから、
一つの棚という空間で、多様な物品の整理収納が可能となる、
整理する物品の形状や規格が変化しても、それに応じた箱体、例えば高さ二倍箱体（６）を組合わせることにより適宜整理が行いやすくなる、
サイズや形状が規格化されているため、部屋の移動や引越しなどに際して箱体の分解と再組立てにより廃棄せず再利用できる、
箱体に色やデザインを施すことにより、その組み合わせによる棚の美観を高めることができる、
という以上の発明効果が挙げられる。
【発明を実施するための最良の形態】
【０００７】
以下、本発明の実施形態を添付図面にて説明する。
図１は本発明の形態を表す斜視図である。
図７は本発明の上下連結図である。
単位箱体（１）同士を、それぞれ対応する位置にある連結穴（２）に対して連結棒（３）を差し込むことにより連結し、組立てを行う。単位箱体（１）の前後連結も同様に行う。
図８は、本発明の左右連結図である。
単位箱体（１）の連結は上下連結と同じ原理であるが、左右連結のための連結穴（２）が単位箱体の壁を貫通することにより、前後左右上下の複数連結を可能とする。また、箱体連結の用途のみならず、図１１に示したような吊下げ棒（８）を使用することによる整理方法の多様性に対応する。
図９は、本発明の背板取り付け図である。
単位箱体（１）前後連結用に空けられた連結穴（２）の背面部分に、背板（４）に設けられた連結突起（５）を差し込むことにより、整理物品の後部落下防止が可能となる。
図１０は、本発明の組立て例の斜視図である。
単位箱体（１）が規格化されていることから、上下・左右・前後方向とも自由な形状に組立てできる。
また、高さ二倍箱体（６）で示したように、単位箱体（１）を基礎に単位規格化することにより、高さ三倍箱体・奥行き二倍箱体・高さ二倍×横二倍×奥行き二倍箱体といった箱体を用意することが可能となり、整理物品のサイズ面の多様性への対応を容易にする。
【実施例】
【０００８】
図７により本発明の構造とあわせた実施例を説明する。
単位箱体（１）を基本規格とする箱体、および背板（４）は木、プラスチック、合成樹脂、金属など用途や美観に応じてさまざまな材質で作ることができる。
連結棒（３）は、箱体を連結および固定するとともに、解体時にははずすことのできる材質でできており、箱体と同様、木、プラスチック、合成樹脂、金属などで作ることができるが、内部を金属とし合成樹脂でコーティングする構造、あるいは表面に溝を入れる構造などで、連結時の強度と冗長性の双方を持ち合わすこともできる。
【産業上の利用可能性】
【０００９】
本発明は、上下左右前後に箱体を組み立てることができ、整理棚の形状やサイズを自由に構成できることを主要な特徴とすることから、コレクションボックス・CD・ＤＶＤ・ビデオテープ・雑貨といった机上に設置できるような小物の整理から、本・人形・ＡＶ機器といった大物の整理、あるいは店舗における商品の陳列まで、箱体の強度を勘案することにより可能となる。合わせて箱体の材質、色調の組合わせにより整理空間の美観を高めることができる。
【図面の簡単な説明】
【００１０】
【図１】本発明の本体斜視図
【図２】本発明の本体正面図
【図３】本発明の本体上視図
【図４】本発明の本体側面図
【図５】本発明の本体底面図
【図６】本発明の本体背面図
【図７】本発明の本体上下連結図
【図８】本発明の本体左右連結図
【図９】本発明の本体と背板の連結図
【図１０】本発明の本体連結例図
【図１１】本発明の本体使用例図
【符号の説明】
【００１１】
１    単位箱体
２    連結穴
３    連結棒
４    背板
５    連結突起
６    高さ二倍箱体
７    横二倍箱体
８    吊下げ棒
【図１】
2005125068.tif 000003
【図２】
2005125068.tif 000004
【図３】
2005125068.tif 000005
【図４】
2005125068.tif 000006
【図５】
2005125068.tif 000007
【図６】
2005125068.tif 000008
【図７】
2005125068.tif 000009
【図８】
2005125068.tif 000010
【図９】
2005125068.tif 000011
【図１０】
2005125068.tif 000012
【図１１】
2005125068.tif 000013
【手続補正書】
【提出日】平成17年2月7日(2005.2.7)
【手続補正１】
【補正対象書類名】特許請求の範囲
【補正対象項目名】全文
【補正方法】変更
【補正の内容】
【特許請求の範囲】
【請求項１】
方形中空状の単位箱体及び／又はその整数倍の箱体からなり、該箱体には接合用の連結穴を設け、該連結穴に着脱可能な連結棒によって、該単位箱体及び／又はその整数倍の箱体を複数個相互に上下、左右、前後に連結し組み立てるようにしたことを特徴とする組立て整理棚。
【請求項２】
前記箱体の背面に、前記連結穴に着脱可能な連結突起を設けた背板を取り付けるようにしたことを特徴とする請求項１に記載の組立て整理棚。
【請求項３】
前記箱体の左右の連結穴に吊下げ棒を設けたことを特徴とする請求項１又は２のいずれかに記載の組立て整理棚。
【手続補正２】
【補正対象書類名】明細書
【補正対象項目名】全文
【補正方法】変更
【補正の内容】
【発明の詳細な説明】
【技術分野】
【０００１】
本発明は、物品の整理に際して、物品のサイズや形状のみならず設置場所の形状や広さに応じて自由に構成できる組立て型の整理棚に関するものである。
【背景技術】
【０００２】
従来より、物品の整理に際しての組立て式整理棚は多数あり、本棚や整理棚（例えば、特許文献１参照）、コレクション用整理ボックス、商品陳列用の棚（例えば、特許文献２参照）などがある。
【０００３】
新たな物品の市場参入や、新たな規格品の登場、景品などの小物やコレクションの多様化といったさまざまな形状の物が生活に溢れ、また、部屋の大きさや形状に関する収納スペースの有効活用のニーズから、市場では物品の整理に関してより高い空間効率性や美観が求められている。
【特許文献１】特開２００３−１４８４２５
【特許文献２】特開平１１−１９８９３１
【発明の開示】
【発明が解決しようとする課題】
【０００４】
従来の組立て型整理棚では整理すべき物品の量の増加や、形状の変化に対してフレキシブルに対応できないため、物品の形状に合わせて新たな本棚や整理棚を部屋の形状も勘案して適当なものを購入する必要があるとともに、部屋の形状や空間に適合した整理棚が見つからない場合があるという問題があった。
【課題を解決するための手段】
【０００５】
本発明は、方形中空状の単位箱体１の定めた位置に連結穴２を設け、他の複数の単位箱体１と連結棒３を、相互の連結穴２に挿入し、接続することにより、整理棚を構成することを特徴とする。
【０００６】
単位箱体１を基礎サイズとして奥行き、幅、高さの三方向をそれぞれ独立した倍数の方形中空状箱体（以下「単位倍数箱体」という）の連結穴２は単位箱体１と同調して設けることにより、必要に応じて単位倍数箱体と単位箱体１の組合せで接続した整理棚を構成する。また、背板４に設けた連結突起５を連結穴２に挿入して、該単位箱体１又は単位倍数箱体の背面に装着することにより物品の落下等を防止する。
【０００７】
単位箱体１、単位倍数箱体を上下、前後、左右に種々のサイズの箱体を組み立てて、その整理棚のサイズや形状を自由に構成することにより、物品の形状、大きさ、また部屋の空間に応じて適切に利用できるようにする。
【発明の効果】
【０００８】
単位箱体およびその単位倍数箱体の組合せにより構成される整理棚は、高さ、横、奥行きの三方向に対し棚の形状や大きさの構成を自由にできることから、一つの棚という空間で多様な物品の整理収納が可能となり、整理する物品の形状や規格が変化しても、それに応じた箱体、例えば単位倍数箱体と単位箱体を組合せることにより適宜整理が行いやすくなる。
【０００９】
整理棚に、物品を収納する場合、その物品が整理棚の背面部より落下すると支障がある場合、背板に設けた連結突起を連結穴に挿入して、該単位箱体又は単位倍数箱体の背面に背板を装着することにより物品の落下を防止する事ができる。
【００１０】
単位箱体及び単位倍数箱体の左右の連結穴は、箱体連結の用途のみならず、整理箱へ物品を吊り下げる必要がある場合、吊り下げ棒を該連結穴に挿入し、設置して物品を吊り下げて整理すること事ができる。
【００１１】
サイズや形状が規格化されているため、部屋の移動や引越しなどに際して箱体の分解と再組立てにより廃棄せず再利用でき、また箱体に色やデザインを施すことによりその組合せによる棚の美観を高めることができる。
【発明を実施するための最良の形態】
【００１２】
方形中空状の単位箱体１において、複数の該単位箱体１の各々に、それぞれ連結するための、同調して配置した連結穴２を正面部、背面部、左右側面部、平面部、底面部に設け、連結棒３を挿入し、該連結棒３により各々の単位箱体１を必要に応じて上下、左右、前後に連結する（図１、図７、図８）。
【００１３】
単位箱体１を基礎サイズとして奥行き、幅、高さの三方向をそれぞれ独立した倍数の単位倍数箱体の連結穴２は単位箱体１及び他の単位倍数箱体と同調して設ける。例えば、収納する物品が２倍の高さが必要な場合の高さ２倍箱体６、また横方向に物品が２倍の幅が必要な場合は横２倍箱体７を単位倍数箱体とする（図１０、図１１）。該単位倍数箱体は、種々の単位倍数箱体を製作可能で、例えば高さ３倍箱体×奥行き２倍箱体、また高さ２倍箱体×横２倍箱体×奥行き２倍箱体等が作製でき、整理物品のサイズの多様性への対応を容易にする。
【００１４】
複数の単位箱体１及び単位倍数箱体を連結するための同調して設ける連結穴２は、例えば方形中空状箱体の正面部、背面部は単位箱体１の外壁にあたる辺の中間に配置する（図２、図６）。また、単位箱体１の平面部、底面部は該単位箱体１の各々の角部分に設ける（図３、図５）。左右側面部は、該単位箱体１側面端部の左右間の中心線上で、上下全高の上方から１／４及び下方から１／４の位置に連結穴２を設ける（図４）。単位箱体１の上下、左右の連結状態を図７、図８に示す。単位倍数箱体の連結穴２は単位箱体１の連結穴２に同調して設けるが、例えば高さ２倍箱体６の場合、単位箱体１の連結穴２に同調させるため、正面部、背面部は該高さ２倍箱体６の辺の上方から１／４、下方から１／４の位置及び上辺下辺の中間位置に連結穴２を設け、平面部、底面部は各々の角部分に設け、また左右側面部は左右間の中心線上で、上下全高の上方から１／８、３／８、５／８、７／８の位置に連結穴２を設けることにより、単位箱体１の連結穴２と同調して連結することができる（図１０）。
【００１５】
整理棚９において整理物品が後部へ落下することを防ぐ必要がある場合、単位箱体１又は単位倍数箱体の前後連結用に設けた連結穴２の背面部に、背板４に設けた連結突起５を挿入して、該背板４を設けてもよい（図９、図１０）。
【００１６】
単位箱体１及び単位倍数箱体の左右の連結穴２は、箱体連結の用途のみならず、整理棚９での整理物品を吊り下げる必要がある場合、吊り下げ棒８を該連結穴２に挿入し、設置して物品を吊り下げて整理することを可能としてもよい（図１１）。
【００１７】
単位箱体１、それを基本規格とする単位倍数箱体、及び背板４は、木材、合成樹脂、金属等、用途やインテリアとしての美観に応じてその材質を選択する。連結棒３は箱体を連結し、固定するとともに、必要な場合は取りはずすことができる嵌め合い公差（中間バメ公差）で製作されており、木材、合成樹脂、金属等の材質を設ける。また内部を金属として合成樹脂をコーティングして、連結時の強度を確保するとともに、取りはずし易さの双方の性質を持たせたものでもよい。
【実施例】
【００１８】
厚さ１２ｍｍの素材にて作成した、高さ１２０ｍｍ×幅１２０ｍｍ×奥行き１２０ｍｍで連結穴６ｍｍφの単位箱体４個、高さ１２０ｍｍ×幅２４０ｍｍ×奥行き１２０ｍｍで連結穴６ｍｍφの横２倍箱体１個、高さ２４０ｍｍ×幅１２０ｍｍ×奥行き１２０ｍｍで連結穴６ｍｍφの高さ２倍箱体１個、及び長さ３０ｍｍの連結棒を用いて図１１の如くレイアウトし、整理棚を組立て、ミニチュアカー、小物瓶類、造型品、本等に識別して収納した。また、リボン等吊り下げる必要があるものは高さ２倍箱体の最上部側面連結穴を利用して吊り下げ棒を設けて、それに吊り下げた。各々が識別整理され、部屋全体が整理整頓されるとともに、インテリア性も格段に向上した（図１１）。
【産業上の利用可能性】
【００１９】
本発明は、上下、左右、前後に箱体を組み立てることができ、整理棚の形状やサイズを自由に構成できることを主要な特徴とすることから、コレクションボックス・ＣＤ・ＤＶＤ・ビデオテープ・雑貨といった机上に設置できるような小物の整理から、本・人形・ＡＶ機器といった大物の整理、あるいは店舗における商品の陳列まで、箱体の強度を勘案することにより可能となる。合わせて箱体の材質、色調の組合せにより整理空間の美観を高めることができる。
【図面の簡単な説明】
【００２０】
【図１】単位箱体の斜視図
【図２】単位箱体の正面図
【図３】単位箱体の平面図
【図４】単位箱体の側面図
【図５】単位箱体の底面図
【図６】単位箱体の背面図
【図７】単位箱体の上下連結斜視図
【図８】単位箱体の左右連結正面図
【図９】単位箱体と背板の連結図
【図１０】単位箱体と単位倍数箱体の組合せによる連結例図
【図１１】単位箱体と単位倍数箱体の組合せによる使用例図
【符号の説明】
【００２１】
１    単位箱体
２    連結穴
３    連結棒
４    背板
５    連結突起
６    高さ２倍箱体
７    横２倍箱体
８    吊り下げ棒
９    整理棚
【手続補正３】
【補正対象書類名】図面
【補正対象項目名】全図
【補正方法】変更
【補正の内容】
【図１】
2005125068.tif 000014
【図２】
2005125068.tif 000015
【図３】
2005125068.tif 000016
【図４】
2005125068.tif 000017
【図５】
2005125068.tif 000018
【図６】
2005125068.tif 000019
【図７】
2005125068.tif 000020
【図８】
2005125068.tif 000021
【図９】
2005125068.tif 000022
【図１０】
2005125068.tif 000023
【図１１】
2005125068.tif 000024